(57)【要約】【課題】露光中のフイルム移動を防止して画質を向上させる。【解決手段】レンズ付きフイルムユニット７５のパトローネ収納室７６とフイルムロール室７７との間を連絡するフイルム通路７８のパトローネ収納室７６と近接する側のフイルム出入口７８ａには、写真フイルム２２の幅方向に延びた一対のテレンプ７９ａ，７９ｂが、写真フイルム２２を表裏から押さえるように、後カバー８１，本体基部８２にそれぞれ固着して設けられている。また、フイルム通路７８のフイルムロール室７７と近接する側のフイルム出入口７８ｂには、一対のテレンプ８４ａ，８４ｂが設けられている。これにより、露光位置にセットされた写真フイルム２２はシャッタ開閉時のショック等でも安定しており、フイルム移動による画質の劣化が防止される。【選択図】        図１
2005141269.tif 000002
【特許請求の範囲】
【請求項１】
フイルムベースにアニールドポリエチレンナフタレート（Ａ−ＰＥＮ）を用いた写真フイルムを装填するとともに、この写真フイルムを露光位置に案内するフイルム通路を備えたカメラのフイルム移動防止機構において、
前記フイルム通路に設けられ、少なくとも写真フイルムへの露光中にフイルム通路にセットされた写真フイルムの面をほぼ垂直方向に押さえ、露光中のフイルム移動を防止することを特徴とするフイルム移動防止機構。
【請求項２】
フイルムベースにアニールドポリエチレンナフタレート（Ａ−ＰＥＮ）を用いた写真フイルムを予め装填するとともに、シャッタボタンのレリーズ操作により写真フイルムに露光を与える露光ユニットと、パトローネを収納するパトローネ室と、一端が前記パトローネのスプールに係止された前記写真フイルムをロール状に収納するフイルムロール室と、パトローネ室とフイルムロール室とを連絡するフイルム通路とが設けられたレンズ付きフイルムユニットにおいて、
前記フイルム通路に少なくも写真フイルムへの露光中は写真フイルムを押さえて写真フイルムの振動を抑止するフイルム押さえ手段を設けたことを特徴とするレンズ付きフイルムユニット。
【請求項３】
前記フイルム押さえ手段は、前記フイルム通路のパトローネ室側及びフイルムロール室側の各フイルム出入口に設けられ、前記写真フイルムの表面及び裏面にそれぞれ接触するように写真フイルムの幅方向に延びた一対のテレンプであることを特徴とする請求項２記載のレンズ付きフイルムユニット。
【発明の詳細な説明】
【技術分野】
【０００１】
本発明は、露光中のフイルム移動を防止したフイルム移動防止機構及びこれを備えたレンズ付きフイルムユニットに関するものである。
【背景技術】
【０００２】
簡単な露光機構を備えるとともに、予め未露光の写真フイルムとパトローネとが製造時に装填され、面倒なフイルム装填と巻戻し操作を不要にしたレンズ付きフイルムユニットとして、例えば「写ルンですSuper800（商品名）」等が本出願人より製造販売されている。このようなレンズ付きフイルムユニットでは、撮影ごとにパトローネのスプールに係合された巻上げノブを回転操作して露光済みの写真フイルムをパトローネ内に巻き上げ、このときの写真フイルムの移送を利用してシャッタチャージを行なった後、露光機構の係止レバーが巻上げノブの外周に形成された歯列に係合して巻上げノブのそれ以上の回転を阻止するようにしてある。
【０００３】
また、このようなフイルム巻上げ機構では、フイルム巻上げ操作の際に、巻上げノブをフイルム巻上げ方向とは逆の方向に回転操作すると、露光済みのコマがパトローネから引き出されてしまうため、巻上げノブの逆転操作を阻止する逆転操作防止機構が設けられている。この機構は、巻上げノブの外周に形成された歯列と、歯列に弾性自在に係合する逆転防止爪とから構成されている。この逆転防止爪は、巻上げノブのフイルム巻上げ方向への正転操作の際には弾性変形してその回転を許容し、また巻上げノブの逆転操作の際には歯列の谷に入り込んでその回転を阻止する。
【０００４】
一方、非特許文献１にも紹介されたＡＰＳ（Advanced Photo System ）では、従来より小型化したパトローネ内により多くの撮影コマ数（例えば４０コマ）を確保した写真フイルムを収納するため、このフイルムベースとして厚みを薄くしても剛性が高く十分な強度を有するアニールドポリエチレンナフタレート（Ａ−ＰＥＮ）を用いることが提案されている。
【非特許文献１】雑誌「写真工業」（（株）写真工業出版社  1994年12月号 p.11 ）
【発明の開示】
【発明が解決しようとする課題】
【０００５】
ところが、上記のような新タイプの写真フイルムをレンズ付きフイルムユニットに用いた場合、撮影中に時として画面ブレが発生することが分かった。この原因としては、種々のケースが考えられる。例えば写真フイルムを巻き上げる際に写真フイルムに引っ張り力がかかっており、これが巻止め機構によって溜められた状態になっている。そして、レリーズ操作と同時に巻止めが解除されるから、この瞬間に写真フイルムにかかっていた引っ張り力が弛み、剛性が強い写真フイルムが振動する。
【０００６】
また、シャッタチャージ時には、巻上げノブと従動スプロケットとの間の写真フイルムにはテンションがかかった状態になっており、これがレリーズ操作の瞬間に解除されると、剛性が強い写真フイルムが元のカール状態に戻ろうとするカール収縮が発生して振動する。また、シャッタチャージ時の巻上げノブの回転位置によっては、巻上げノブの歯列と逆転防止爪との噛み合わせにより、逆転防止爪が巻上げノブを巻上げ方向に回転させる方向に付勢する状態になる場合がある。このような状態のままレリーズ操作を行なうと、巻止めが解除された瞬間に写真フイルムがパトローネ側に移動して画面ブレが発生する。
【０００７】
また、新タイプのパトローネは、フイルム出入口に従来のようなテレンプを用いずに、回転式の遮光蓋を用いている。このため、遮光蓋が開き、写真フイルムがフイルム出入口から突出した状態では、フイルム出入口の開口サイズの範囲で写真フイルムが自由に移動可能となっている。したがって、シャッタ羽根の揺動に伴うショック等によって露光中の写真フイルムが動くことがある。
【０００８】
本発明は、上記課題を解決するためになされたもので、露光中のフイルム移動を防止して画質を向上させたフイルム移動防止機構及びレンズ付きフイルムユニットを提供することを目的とする。
【課題を解決するための手段】
【０００９】
本発明のフイルム移動防止機構は、フイルムベースにアニールドポリエチレンナフタレート（Ａ−ＰＥＮ）を用いた写真フイルムを装填するとともに、この写真フイルムを露光位置に案内するフイルム通路を備えたカメラのフイルム移動防止機構において、前記フイルム通路に設けられ、少なくとも写真フイルムへの露光中にフイルム通路にセットされた写真フイルムの面をほぼ垂直方向に押さえ、露光中のフイルム移動を防止することを特徴とする。
【００１０】
本発明のレンズ付きフイルムユニットは、フイルムベースにアニールドポリエチレンナフタレート（Ａ−ＰＥＮ）を用いた写真フイルムを予め装填するとともに、シャッタボタンのレリーズ操作により写真フイルムに露光を与える露光ユニットと、パトローネを収納するパトローネ室と、一端が前記パトローネのスプールに係止された前記写真フイルムをロール状に収納するフイルムロール室と、パトローネ室とフイルムロール室とを連絡するフイルム通路とが設けられたレンズ付きフイルムユニットにおいて、前記フイルム通路に少なくも写真フイルムへの露光中は写真フイルムを押さえて写真フイルムの振動を抑止するフイルム押さえ手段を設けたことを特徴とする。
【００１１】
また、前記フイルム押さえ手段は、前記フイルム通路のパトローネ室側及びフイルムロール室側の各フイルム出入口に設けられ、前記写真フイルムの表面及び裏面にそれぞれ接触するように写真フイルムの幅方向に延びた一対のテレンプであることを特徴とする。
【発明の効果】
【００１２】
本発明のフイルム移動防止機構によれば、少なくとも写真フイルムへの露光中にフイルム通路にセットされた写真フイルムの面をほぼ垂直方向に押さえるようにしたので、露光中のフイルム移動を防止できる。
【００１３】
本発明のレンズ付きフイルムユニットによれば、フイルム通路に少なくも写真フイルムへの露光中は写真フイルムを押さえて写真フイルムの振動を抑止するフイルム押さえ手段を設けたので、撮影時のフイルム移動を防止できる。また、フイルム押さえ手段として、写真フイルムの幅方向に延びた一対のテレンプを用い、これをフイルム通路のパトローネ室側及びフイルムロール室側の各フイルム出入口に設けたので、簡単かつローコストにフイルム移動を防止できる。
【発明を実施するための最良の形態】
【００１４】
本発明の実施形態を示す図１において、レンズ付きフイルムユニット７５のパトローネ収納室７６とフイルムロール室７７との間を連絡するフイルム通路７８のパトローネ収納室７６と近接する側のフイルム出入口７８ａには、写真フイルム２２の幅方向に延びた一対のテレンプ７９ａ，７９ｂが、写真フイルム２２を表裏から押さえるように、後カバー８１，本体基部８２にそれぞれ固着して設けられている。また、同様に、フイルム通路７８のフイルムロール室７７と近接する側のフイルム出入口７８ｂには、一対のテレンプ８４ａ，８４ｂが設けられている。これにより、露光位置にセットされた写真フイルム２２はシャッタ開閉時のショック等でも安定しており、フイルム移動による画質の劣化が防止される。
【００１５】
以上説明した実施形態では、フイルム押さえ手段としてテレンプを用いたが、例えば少なくとも巻上げ方向への給送時には写真フイルムに傷をつけないように写真フイルムの面をほぼ垂直方向に本体基部側に押しつける板バネをフイルム通路に設けてもよい。
【００１６】
また、上記実施形態は、新規な写真フイルムパトローネを装填したレンズ付きフイルムユニットであったが、従来の１３５タイプのパトローネとＡ−ＰＥＮベースの写真フイルムを装填したレンズ付きフイルムユニットでもよい。また、本発明のフイルム移動防止機構は、コンパクトタイプ等のカメラに適用することができる。
【図面の簡単な説明】
【００１７】
【図１】本発明の実施形態の要部説明図である。
【符号の説明】
【００１８】
１７  写真フイルムパトローネ
２２  写真フイルム
７５  レンズ付きフイルムユニット
７９ａ，７９ｂ，８４ａ，８４ｂ  テレンプ
【図１】
2005141269.tif 000003